(57)【要約】巻出し機は、第一のリール（Ｂ１）が位置決めされる第一の巻出し位置と；第二のリール（Ｂ２）と交換の際に第一のリールが移送される第二の巻出し位置（Ｐ３）と；第二のリール（Ｂ２）を待機状態で維持する待機位置（Ｐ１）と；第一のリール（Ｂ２）が第二のリール（Ｂ２）と交換しなければならない場合、第一の巻出し部材（１３）が第二のリール（Ｂ１）の巻回を開始するよう配置されまた制御されている。さらに、巻出し機は少なくとも１つの継ぎ目のない可撓性を有する要素（３３）を備えた第二の巻出し部材（３１）を備えている。継ぎ目のない可撓性を有する要素は第一の巻出し位置（Ｐ２）から第二の巻出し位置（Ｐ２）まで延び、第一の巻出し位置（Ｐ２）で、または第二の巻出し位置（Ｐ３）で、さらには第一の巻出し位置（Ｐ２）から第二の巻出し位置（Ｐ３）まで移送される間、第一のリールが前記第二の巻出し部材（３１）によって前記第二の巻出し部材と接触したままで巻回状態を維持されるように配置されまた制御されている。【選択図】図１
2014533643.tif 000002
【特許請求の範囲】
【請求項１】
ウェブ材料（Ｎ１、Ｎ２）のリール（Ｂ１、Ｂ２）を巻出しするための巻出し機であって、
第一のリール（Ｂ１）が巻出周期の少なくとも一部で位置決めされる第一の巻出し位置（Ｐ２）と；前記第一のリールが第二のリール（Ｂ２）との交換を要する場合に移送される第二の巻出し位置（Ｐ３）と；第二のリール（Ｂ２）が待機中に保持される待機位置（Ｐ１）と；前記第一のリールが第二のリール（Ｂ２）との交換を要する場合に、前記第二のリール（Ｂ２）の巻回を開始するために配置されまた制御され前記待機位置（Ｐ１）と関連する第一の巻出し部材（１３）と；を備える巻出し機において、
少なくとも１つの継ぎ目のない可撓性を有する要素３３を備える第二の巻出し部材（３１）が、第一の巻出し位置（Ｐ２）から第二の巻出し位置（Ｐ３）まで伸長し、前記第一の巻出し位置（Ｐ２）で、または前記第二の巻出し位置（Ｐ３）で、さらには前記第一の巻出し位置（Ｐ２）から前記第二の巻出し位置（Ｐ３）まで移送される間、第一のリールが前記第二の巻出し部材（３１）によって前記第二の巻出し部材と接触したままで巻回状態を維持されるように配置されまた制御されることを特徴とする巻出し機。
【請求項２】
前記待機位置（Ｐ１）が前記第一の巻出し位置（Ｐ２）より上にあることを特徴とする請求項１に記載の巻出し機。
【請求項３】
前記第一の巻出し位置（Ｐ２）が第二の巻出し位置（Ｐ３）と巻出し機からのウェブ材料の出口との間に配置されることを特徴とする請求項１または２に記載の巻出し機。
【請求項４】
第一の巻出し位置（Ｐ２）及び第二の巻出し位置（Ｐ３）に対して第一のリール（Ｂ１）の位置関数として継ぎ目のない可撓性を有する要素（３３）のパスを変更するよう前記第二の巻出し部材（３１）は配置されまた制御されることを特徴とする請求項１または２または３に記載の巻出し機。
【請求項５】
前記継ぎ目のない可撓性を有する要素（３３）が複数の案内ローラー（３５‐４１）の周囲に案内され、そのうちの少なくとも１本のローラー（３５）が継ぎ目のない可撓性を有する要素（３３）のパスを変更するために可動軸を有し、またそのうちの少なくとも１本のローラー（４０）が電動化されていることを特徴とする請求項４に記載の巻出し機。
【請求項６】
案内ローラー（３５‐４１）のうちの少なくとも２本のローラーが継ぎ目のない可撓性を有する要素（３３）のパスを変更するために可動軸を有することを特徴とする請求項５に記載の巻出し機。
【請求項７】
可動軸を備えた前記少なくとも１本のローラー（３５）が前記第二の巻出し位置で下位位置から上位位置まで移動するように配置されまた制御されることを特徴とする請求項５または６に記載の巻出し機。
【請求項８】
前記継ぎ目のない可撓性を有する要素（３３）が、前記第一の巻出し位置（Ｐ２）から前記第二の巻出し位置（Ｐ３）まで伸長し、前記第一の巻出し位置から前記第二の巻出し位置に向かって或いはその逆に第一のリール（Ｂ１）の巻回方向に従って移動するアクティブ分岐部を有することを特徴とする請求項１〜７の何れか一項に記載の巻出し機。
【請求項９】
前記継ぎ目のない可撓性を有する要素（３３）が、第二の巻出し位置（Ｐ３）と第二のリール（Ｂ２）から巻出されるウェブ材料（Ｎ２）に第一のリール（Ｂ１）から巻出しされるウェブ材料（Ｎ１）を接合する接合装置（８１）との間に伸長し、第一の巻出し位置（Ｐ２）が第二の巻出し位置（Ｐ３）と前記接合装置（８１）との間に配置されていることを特徴とする請求項１〜８の何れか一項に記載の巻出し機。
【請求項１０】
前記第一のリールと軸方向に係合しまた第二の巻出し位置（Ｐ３）に向かってその動作を可能にするよう前記第一のリールを解放するために配置されまた制御される心押し台（２７）を前記第一の巻出し位置（Ｐ２）に設けていることを特徴とする請求項１〜９の何れか一項に記載の巻出し機。
【請求項１１】
第一の巻出し位置（Ｐ２）から第二の巻出し位置（Ｐ３）まで第一のリール（Ｂ１）を移送するために、第一の巻出し位置（Ｐ２）と第二の巻出し位置（Ｐ３）との間に移動可能な移送部材（５３）を備えることを特徴とする請求項１〜１０の何れか一項に記載の巻出し機。
【請求項１２】
第一のリール（Ｂ３）の巻出しの終わりにそのリールを解放するために、前記移送部材（５３）が第二の巻出し位置（Ｐ３）から取外し位置（Ｐ４）まで移動することを特徴とする請求項１１に記載の巻出し機。
【請求項１３】
可動軸を備えた前記少なくとも１本のローラー（３５）が、前記第一のリールの巻出しの終わりに上位位置から下位位置まで下降するように制御されまた配置され、第二の巻出し位置（Ｐ３）から取外し位置（Ｐ４）まで移送部材（５３）の通過を可能にすることを特徴とする請求項７及び１２に記載の巻出し機。
【請求項１４】
前記第二の巻出し位置（Ｐ３）と関連して巻出しの終わりに前記第一のリール（Ｂ１）のウェブ材料を切断するよう制御されまた配置される切断部材（６５）を備えていることを特徴とする請求項１〜１３の何れか一項に記載の巻出し機。
【請求項１５】
前記第一の巻出し部材（１３）が周辺巻出し部材であることを特徴とする請求項１〜１４の何れか一項に記載の巻出し機。
【請求項１６】
前記第一の巻出し部材（１３）が少なくとも２本のローラー（１７、１９）の周囲に案内される継ぎ目のない可撓性を有する要素（１５）を備え、２本のローラー（１７、１９）のうちの少なくとも１本が電動化されていることを特徴とする請求項１５に記載の巻出し機。
【請求項１７】
第二のリール（Ｂ２）が待機位置（Ｐ１）から前記第一の巻出し位置（Ｐ２）に向けて移送される際に前記第一の巻出し部材（１３）が前記第二のリール（Ｂ２）を追従するよう移動可能に支持されていることを特徴とする請求項１５または１６に記載の巻出し機。
【請求項１８】
前記第一の巻出し部材（１３）が第一のリール（Ｂ１）及び第二のリール（Ｂ２）の軸に実質的に平行な軸の周囲を旋回するアーム（２３）によって支持されていることを特徴とする請求項１７に記載の巻出し機。
【請求項１９】
待機位置（Ｐ１）から第一の巻出し位置（Ｐ２）まで第二のリール（Ｂ２）を移送するために配置されまた制御される移送装置（７、７Ａ、９）を備えていることを特徴とする請求項１〜１８の何れか一項に記載の巻出し機。
【請求項２０】
前記移送装置（７、７Ａ、９）が前記待機位置（Ｐ１）で第二のリール（Ｂ２）に実質的に平行な軸の周囲を旋回する複数のアーム（７）を備えていることを特徴とする請求項１９に記載の巻出し機。
【請求項２１】
待機位置（Ｐ１）から第一の巻出し位置（Ｐ２）まで第二のリール（Ｂ２）の動作を追従するために前記第一の巻出し部材（１３）が前記移送装置（７、７Ａ、９）に制約されることを特徴とする請求項１９または２０に記載の巻出し機。
【請求項２２】
ウェブ材料のリールを巻出して、第一のリール（Ｂ１）から巻出される第一のウェブ材料（Ｎ１）の末尾と第二のリール（Ｂ２）から巻出される第二のウェブ材料（Ｎ２）の先端（ＮＬ２）との間でウェブ材料の送りを停止せずに接合を実行する方法において、かかる方法が、
前記第一のリール（Ｂ１）を第一の巻出し位置（Ｐ２）に位置決めする工程と；
第一の巻出し部材（１３）が配置される待機位置（Ｐ１）に第二のリール（Ｂ２）を位置決めする工程と；
第二の巻出し部材（３３）を用いて前記第一のリールから第一のウェブ材料（Ｎ１）を巻き出す工程と；
第一のリール（Ｂ１）の巻出しを完了する前に前記第一のリールを第一の巻出し位置（Ｐ２）から第二の巻出し位置（Ｐ３）に向けて移送して、前記第二の巻出し部材（３１）を用いて前記第一のリール（Ｂ１）を巻回状態で維持しつつ前記第一のウェブ材料（Ｎ１）の巻出しを継続する工程と；
第二のウェブ材料（Ｎ２）が第二のリール（Ｂ２）から巻出しを開始すると同時に、第二のリール（Ｂ２）を巻回させ、待機位置（Ｐ１）から第一の巻出し位置（Ｐ２）に向けて第二のリール（Ｂ２）を移送する工程と；
第二のウェブ材料（Ｎ２）の先端を第一のウェブ材料（Ｎ１）の末尾に接合する工程とを含むことを特徴とする方法。
【請求項２３】
前記第一のウェブ材料（Ｎ１）が第一のリール（Ｂ１）からの巻出しを継続し且つ前記第二のウェブ材料（Ｎ２）が第二のリール（Ｂ２）から巻出されると同時に第二のウェブ材料（Ｎ２）の先端が第一のウェブ材料（Ｎ１）上に置かれ、そこで第二のウェブ材料（Ｎ２）の先端が接合装置（８１）に向けて第一のウェブ材料（Ｎ１）上に載って前進することを特徴とする請求項２２に記載の方法。
【請求項２４】
第二のウェブ材料（Ｎ２）の先端が前記接合装置（８１）に第一のウェブ材料（Ｎ１）と一体で挿差されると、前記第一のウェブ材料（Ｎ１）を切断することを特徴とする請求項２３に記載の方法。
【発明の詳細な説明】
【技術分野】
【０００１】
本発明は、ログ或いはリールに巻き付けられたウェブ材料を変換または処理するための機械に関するものである。より詳細には、本発明は、ウェブ材料のリール、特に、排他的ではないが、紙、ティッシュペーパーなどセルロース材のリールを巻き解いて、さらに巻出し機の下流にある１つ以上の処理ステーションに前記ウェブ材料を送るための装置及び方法の改良に関する。
【背景技術】
【０００２】
ティッシュペーパー、例えばトイレットペーパーやキッチンタオルまたはその種の他のもので出来ている物品を製造する製紙分野では、一層以上のセルロース材を巻くことによって、より大径のリールを製造することが通例である。その後、これらの大径のリールは、より小径の或いは他の製品、例えばトイレットペーパーのロール、キッチンタオルのロール、紙ナプキンなどの販売を意図した完成品を得るために、特にその後の処理を意図した半完成品のログを生産するための処理及び変換ステーションにウェブ材料を送る巻出し機によって巻き解かれる。
【０００３】
巻出し機は、待機位置に保持される新しいリールと空リールを迅速に交換できるように設計されなければならない。特許文献１：米国特許第７，３５０，７４０号及び特許文献２：米国特許第７，５００，６３４号には、新しいリールと空リールの交換をウェブ材料の送りを止めずに自動的に実行する巻出し機が開示されている。
【０００４】
特許文献３：国際特許出願ＷＯ２００６／０７７６０９号には、空リールを巻出し位置から取外し位置まで一組の案内部によって移動させる巻出し機が開示されている。一旦リールを前記２つの位置から一方の位置に移した後、新しいリールが下方の巻戻しベルトに接触するまで、新しいリールを巻出しステーションに向けて上から下降させる。巻出し機の動作は、空リール交換工程の前に停止される。一旦新しいリールが位置決めされると巻出し機は再開する。この場合、下流のウェブ材料の連続供給を保証するために「フェストゥーン」すなわち一連の案内ローラーの間に中心間距離で形成されるウェブ材料の供給体を備える必要があり、前記フェストゥーンの上流でウェブ材料の供給がない場合、フェストゥーンの下流でウェブ材料の受渡しを可能にするように変化できる。
【０００５】
同様な巻出し機は、特許文献４：国際特許出願ＷＯ２００７／０９９５７０号に記載されている。
【０００６】
特許文献５：国際特許出願ＷＯ２０１０／１２１２５２号には、リールの巻出し位置と新しいリールの待機位置とを備える巻出し機が開示されている。巻き解かれているリールが空の場合、ウェブ材料は切断され、ウェブ材料の末尾を吸着ローラーに巻取らせる。 空リールは巻き出し位置から取り出され新しいリールと交換される瞬間まで待機位置に保持される。切断されたウェブ材料の末尾が巻付けられたローラーは、ローラー上のウェブ材料と新しいリールに巻き取られたウェブ材料との接合を実行するために新しいリールに向かって移動する。２つのウェブ材料の接合が行われると、下流のステーションに向けた送りを再度起動できる。さらに、このような巻出し機の従来技術では、巻出し機の下流で生産ラインへの継続的な受渡しを確保するためにフェストゥーン・アキュムレータを備えなければならない。また、第一の空リールから来る十分な長さのウェブ材料を吸着ローラーに巻き付けるためにもフェストゥーン・アキュムレータは必要である。
【０００７】
特許文献６：欧州特許第１，４４４，１５４号には、三つの異なる巻出し部材を設けて、待機中の新しいリールと空リールとの交換を自動的に実行する巻出し機が開示されている。第一の主たる巻出し部材は、中心巻出システムすなわちその軸でウェブ材料のリールと係合し巻回でそれを引き出すシステムを備えている。この第一の巻出し部材は、それぞれのリールの巻出周期の大部分を実行する。巻出し位置の側に、第一のリールが空になると第一のリールを交換するよう意図された第二のリールのための待機位置を設けている。巻き解かれているリールと待機リールとの交換を実行するためには、下方の補助巻出し位置に向けて主たる巻出し位置から巻き解かれているリールと一体で巻出し部材を運ぶ。そこで、第二の巻出し部材は巻き解かれているリールと接触するように配置され、巻き解かれているリールを巻回状態で維持し、巻出周期の最終部分を実行する役目を果たす。従って、第一の巻出し部材は待機リールを受けるために主たる巻出し位置まで戻すことができると同時に第二の巻出し部材はリールを巻回状態に維持し続けウェブ材料を送り続ける。待機リールは第三の巻出し部材と共に巻回状態に置かれる。待機リールの巻き解きが開始されると、この待機リールの先端は一時的に低い位置で第二の巻出し部材によって第一のリールから依然として巻き解かれているウェブ材料の最終部分の上に置かれる。このように２本のリールから来る２つのウェブ材料は重ねられ、下流に位置する接合手段まで共に送られる。一旦新しいリールの先端が接合手段に達すると、第一のリールから巻き解かれたウェブ材料と第二のリールから巻き解かれたウェブ材料との間で接合が実行され、残りのウェブ材料を切断することによって空リールを取り出すことができ、先に待機していた新しいリールがその実際の巻出周期を開始する。
【０００８】
これらの従来技術の巻出し機は、幾つかの問題点を有する。幾つかの場合、これらの機械は特に管理が複雑で困難であり高い製造コストを有する。そのうちの幾つかは、ウェブ材料の送りを停止せずにリール交換を実行することができない。従って、機械のコスト、破損に対するその感受性、さらには機械の設置に必要な空間を増大させ、結果として変換ラインに必要な領域を増加させるフェストゥーン・アキュムレータを必要とする。その巻出し機は、第一のブロックを形成する。
【０００９】
一般的には、従来技術の巻出し機は一方向のみでリールを巻き出す。
【００１０】
さらに、従来技術の巻出し機の多くは、ほとんど空のリールからそして新しいリールから来る二つの層の接合を実行するために、接着剤や粘着テープを使用する。これは消耗部品及び比較的長い準備時間の必要性を伴う。さらに、接合領域で使用され廃棄された後にリサイクルされる粘着剤はセルロース材を汚染するので、リサイクル前に適切に処理されなければならない。
【先行技術文献】
【特許文献】
【００１１】
【特許文献１】米国特許第７，３５０，７４０号
【特許文献２】米国特許第７，５００，６３４号
【特許文献３】国際特許出願ＷＯ２００６／０７７６０９号
【特許文献４】国際特許出願ＷＯ２００７／０９９５７０号
【特許文献５】国際特許出願ＷＯ２０１０／１２１２５２号
【特許文献６】欧州特許第１，４４４，１５４号
【発明の概要】
【発明が解決しようとする課題】
【００１２】
一つの特徴によれば、本発明は、例えばログ、ロール、ナプキンなどを製造するための変換ラインに紙を送るために、特にセルロース材のリール例えば製紙工場から来る親リール或いは大径のリールを巻き解くためのリール巻出し機を提供し、かかるリール巻出し機は、従来技術による機械及び装置の問題点を完全に或いは部分的に克服するものである。
【課題を解決するための手段】
【００１３】
一つの実施形態によれば、ウェブ材料のリールを巻き解くための巻出し装置は：巻出周期の少なくとも一部分において第一のリールを位置決めする第一の巻出し位置と；前記第一のリールが第二のリールと交換しなければならない場合に前記第一のリールが移送される第二の巻出し位置と；前記第二のリールが待機状態で維持される待機位置と；前記第一のリールが前記第二のリールと交換しなければならない場合に前記第二のリールの巻回を開始するために配置されまた制御され、前記待機位置と関連する第一の巻出し部材と；を備えて提供される。さらに、巻出し機は、少なくとも１つの継ぎ目のない可撓性を有する要素を有する第二の巻出し部材を備える。有利には、第二の巻出し部材の継ぎ目のない可撓性を有する要素は、第一の巻出し位置から第二の巻出し位置まで伸長し、また、第一の巻出し位置で及び第二の巻出し位置で、さらに前記第一の巻出し位置から第二の巻出し位置まで第一のリールが移送される間、第一のリールが前記第二の巻出し部材と接触状態であって且つ前記第二の巻出し部材によって巻回状態であることを維持されるように配置されまた制御される。
【００１４】
本発明による巻出し機は、ウェブ材料の送りを停止する必要がなく、先に待機位置に配置された新しいリールとほとんど空のリールの交換を以下の説明から明らかになるような方法で実行することができる。従って、任意のフェストゥーン・アキュムレータやマガジン或いは類似のものは不要である。代わりに、巻出しを停止することによって２本のリール交換が行われるシステムで必要とされるアキュムレータよりも小さな寸法を有したアキュムレータを提供することができる。
【００１５】
自動接合による従来技術の巻出しシステムに対しかなりの簡略化で、リールの巻回を停止する必要なく連続した巻出しを２つの巻出し部材を用いるだけで行うことができる。本発明の実施形態のさらなる利点は、以下に示されまた本発明の非限定的な実施形態を示す図面の説明から明らかになる。
【００１６】
有利な実施形態では、待機位置は第一の巻出し位置より上であり、すなわち待機位置は第一の巻出し位置より多少とも高い位置にある。従って、前記位置の一方から他方へのリールの移送は、例えば１つの回動アーム或いは一対の回動アームで形成された特に単純な移送装置によって行うことができる。
【００１７】
幾つかの実施形態では、第一の巻出し位置は、第二の巻出し位置と巻出し機からウェブ材料の出口との間に配置されている。接合装置は、ウェブ材料に配置することができる。幾つかの特に有利な実施形態では、接合装置は、１つ以上の圧力歯車が１つ以上の対向ローラーに対して作用する機械的な装置である。２本のリールのウェブ材料は、台車と対向ローラーとの間を通過し、繊維に作用する局所的な圧力の効果（「交織」として公知の効果）で２つのウェブ材料を結び付ける。
【００１８】
有利には、第二の巻出し部材は、第一の巻出し位置及び第二の巻出し位置に対し第一のリール位置の関数として継ぎ目のない可撓性を有する要素のパスを変更するために配置でき制御できる。典型的には、継ぎ目のない可撓性を有する要素は複数本の案内ローラーの周囲に案内されるよう備えることができ、そのうちの少なくとも１本が継ぎ目のない可撓性を有する要素のパスを変更するために移動可能な軸を有し、また少なくとも１本が電動機付きである。必要に応じて、巻き出されるリールの直径が段階的に減少することによって起る弛みを回復するために追加の案内ローラーは移動可能であることができる。
【００１９】
継ぎ目のない可撓性を有する要素のパスを変更するために設けられた可動軸を備えたローラーは、下位位置から上位位置まで移動するよう配置できまた制御できる。可動軸を備えたローラーが上位位置にある場合、継ぎ目のない可撓性を有する要素は第二の巻出し位置に置かれたリールに作用するよう位置決めされる。可動軸を備えたローラーが下位位置にある場合、継ぎ目のない可撓性を有する要素の位置は第二の巻出し部材と干渉することなく第二の巻出し位置から取外し位置に向けて空リールの移送を可能にするようにされている。さらに、可動軸を備えたローラーが下位位置にある場合、第二の巻出し位置にあるリールが巻回で引き出されるのを停止する。
【００２０】
実際の実施形態では、継ぎ目のない可撓性を有する要素は、第一の巻出し位置から第二の巻出し位置まで延びており、前記第一の巻出し位置から前記第二の巻出し位置に向かって或いはその逆に第一のリールの巻回方向に従って移動するアクティブ分岐部を有する。幾つかの実施形態では、継ぎ目のない可撓性を有する要素は、第二の巻出し位置と、第一のリールから巻き出されたウェブ材料と第二のリールから巻き出されたウェブ材料とを接合する接合装置との間に伸長し、第一の巻出し位置が第一の巻出し位置と前記接合装置との間に置かれる。有利な実施形態では、心押し台を第一の巻出し位置に設けることができ、心押し台は、第一のリールと軸方向に係合して第二の巻き出し位置に向ってその移動を可能にする第一のリールを解放するために制御されまた配置されている。他の実施形態では、第一の巻出し位置にリールを保持するために、その他のシステム例えば巻取りロッドの端部と係合する幾つかのローラーを備えることができる。
【００２１】
リールを待機位置から第一の巻出し位置まで移送する移送装置は、前記回動アームに担持される可動部で形成される座面を備えた回動アームを設けることができる。座面は、第一の巻出し部材の作用下でその軸を周囲してリールの巻回を可能にする遊動輪或いは他の部材を設けることができ、その間、同リールは前記座面に係合されている。
【００２２】
移送部材は、第一の巻出し位置から第二の巻出し位置までリールを移送するよう設けることができる。移送部材は、２つの巻出し位置の間に伸長する案内のそれぞれに沿って移動可能な台車或いは一対の台車を設けることができる。有利な実施形態では、同じ移送部材が、第二の巻出し位置から空リールを解放する取外し位置まで移動可能であるように配置されまた設計されている。
【００２３】
ほとんど空のリールから来るウェブ材料を切断するためには、巻出しの終わりに前記第一のリールのウェブ材料を切断するよう制御されまた配置される切断部材を設けることができる。このように、すべてのウェブ材料が巻き解かれる前であっても、巻出しを停止することが可能である。これは、通常、皺になり傷が付くなど製品には使用できない各ロールの最初の数回分すなわち最も内側の数巻き分を廃棄するのに有用である。切断部材は、滑らかな或いは好ましくは鋸歯状の機械的なブレードを備えることができる。他の切断システム例えばレーザー、用水、圧縮空気による切断工具或いは類似のものを使用することができる。
【００２４】
切断部材は、例えば取外し位置或いは中間位置または移送部材上のその他の構成も可能であるが、好ましくは、第二の巻出し位置に関連付けられる。
【００２５】
好ましくは、第一の巻出し部材と第二の巻出し部材の両者は周辺巻出し部材である。また、第一の巻出し部材を周辺巻出し部材として構成することによって、すなわち１つ以上のベルト、ウェブ、マット或いは継ぎ目のない要素を備えることによって、第一の巻出し位置へのリールの移送、第一の巻出し部材から第二の巻出し部材への制御の進行、そして第一の巻出し位置に位置決めされた遊動心押し台によるリールの係合が簡素化される。
【００２６】
有利には、本発明による巻出し機は一方向または反対方向にリールを巻き戻すように制御することができる。これは、以下を考慮すると特に役立ち有利である。連続した成形機から来るセルロース材の層は、通常、互いに異なる粗さを備える２つの対向する表面を有する。特に、セルロース材がヤンキーシリンダで処理される場合、ヤンキーシリンダと接触する層の表面は反対の面よりも滑らかである。より優れた品質の多層の製品を得るためには、２つの層は、好ましくは、各層の滑らかな表面が完成品の外側に面するような方法で互いに結合される。これは、２つのリールが反対方向に巻き解かれるのを義務付ける。一方向または反対方向に巻き解かれるのを可能にする巻出し機の使用は、工場のレイアウト及び管理を単純化する。
【００２７】
本発明の幾つかの実施形態では、巻出し機は、機械的な層接着を用いて層を接合するシステムを使用している。これは、接着剤または両面接着テープの使用せずに層の接合を可能にし、消耗品や汚染物質を除去することができ、待機中の新しいリールの準備動作を簡略化することができる。
【００２８】
さらなる態様によれば、本発明は、ウェブ材料のリールを巻出しながら且つウェブ材料の送りを停止せずに第一のリールから巻出された第一のウェブ材料の末尾と第二のリールから巻出された第二のウェブ材料の先端との接合を実行する方法に関わり、
‐第一の巻出し位置に第一のリールを位置決めする工程；
‐第一の巻出し部材が配置されている待機位置に第二のリールを位置決めする工程；
‐第二の巻出し部材によって前記第一のリールから第一のウェブ材料を巻出す工程；
‐第一のリールの巻出しが終了する前に前記第一のリールを第一の巻出し位置から第二の巻出し位置に向けて移送し、前記第二の巻出し部材によって前記第一のリールに巻回を維持しつつ前記第一のウェブ材料の巻出しを継続する工程；
‐第二のウェブ材料が第二のリールから巻出しを開始すると同時に第二のリールを巻回させ、待機位置から第一の巻出し位置に向けて第二のリールを移送する工程：さらに、
‐第二のウェブ材料の先端を第一のウェブ材料の末尾に接合する工程；
を備えている。
【００２９】
本発明による方法の有利な実施形態によれば、前記第一のウェブ材料が第一のリールからの巻出しを継続しつつ前記第二のウェブ材料が第二のリールから巻出されると同時に第二のウェブ材料の先端が第一のウェブ材料上に置かれる。さらに、第二のウェブ材料の先端は接合装置に向けて第一のウェブ材料上に載って前進する。
【００３０】
本発明による巻出し機及び方法のさらに有利な特徴及び実施形態は、以下の説明及び本明細書の不可欠な部分を成す添付の特許請求の範囲で詳細に説明される。
【００３１】
本発明は、以下の説明及び本発明によるユニットの非限定的な実際の実施形態を示す添付図面によってより良く理解される。
【図面の簡単な説明】
【００３２】
【図１】本発明による巻出し機の動作手順を示し、空リールを新しいリールに交換する工程を含み、可能な実施形態で巻出し機を示す図。
【図１Ａ】第一の巻出し位置から第二の巻出し位置まで及びここから取外し位置までリールを移送する部材を形成する台車のうちの１つの拡大図。
【図２】本発明による巻出し機の動作手順を示し、空リールを新しいリールに交換する工程を含み、可能な実施形態で巻出し機を示す図。
【図３】本発明による巻出し機の動作手順を示し、空リールを新しいリールに交換する工程を含み、可能な実施形態で巻出し機を示す図。
【図４】本発明による巻出し機の動作手順を示し、空リールを新しいリールに交換する工程を含み、可能な実施形態で巻出し機を示す図。
【図５】本発明による巻出し機の動作手順を示し、空リールを新しいリールに交換する工程を含み、可能な実施形態で巻出し機を示す図。
【図６】本発明による巻出し機の動作手順を示し、空リールを新しいリールに交換する工程を含み、可能な実施形態で巻出し機を示す図。
【図７】図１の線VII‐VIIに沿った平面図。
【図８】巻出周期の第二の実施形態で空リールを新しいリールに交換する手順を示す側面図。
【図９】巻出周期の第二の実施形態で空リールを新しいリールに交換する手順を示す側面図。
【図１０】巻出周期の第二の実施形態で空リールを新しいリールに交換する手順を示す側面図。
【発明を実施するための形態】
【００３３】
まず図１〜図７を参照して、可能な実施形態における本発明の巻出し機の主たる要素についてまず説明する。符号番号１で全体として示された巻出し機は、手段および装置を備える負荷支持構造体３から構成され、巻出されるリールを待機中の新しいリールと交換するための待機位置；巻出周期の一部分で巻出されるリールを位置決めする第一の巻出し位置；巻出されるリールが巻出されるウェブ材料を運ぶ最終工程で移送される第二の巻出し位置；さらに、一旦リールが空になる或いは他の理由で交換しなければならない場合、リールが巻付けられた巻取りロッド、スピンドル或いは核を移送する取外し位置；を定義する。実際には、通常、リールが空になるまで且つ空で交換されるまで利用されることを理解しなければならない。巻取り核の周囲に残るウェブ材料に皺が寄りもはや使用することができない場合、リールは空として通常意図される。実際、製紙工場でリールを形成する際にリールの最も内側の部分、すなわち最初の数回分の巻取りは欠陥を含むことは知られている。ウェブ材料のこの部分は使用されず、リールの核の周囲に巻き付いたまま残され、必要ならばリサイクルできる。当業者には知られているように、リールが空になる前つまり廃棄されるべきウェブ材料部分に達する前に、リールを交換する必要が生じる状況があり得ることを考慮しなければならない。両者の交換周期は本質的には同じである。以下簡潔に空リールの交換について言及する。もはや適切な量の使用可能なウェブ材料が残っていないリールについても、さらに巻出周期が明確に或いは一時的に完了したリールについても広義では「空である」ことを意味する必要があることが理解される。
【００３４】
図示された実施形態では、構造体３は垂直材５を備え、垂直材５には回動アーム７が軸Ａ‐Ａの周囲に枢着されている。かかるアームは、双方向矢印ｆ７に従って旋回運動すなわち往復回転運動を行うことができる。図１から６には単体でアーム７が示されているが、実際には、対向する端部で待機中の新しいリールのロッドに係合するように機械の両側に対称的に配置された２つのアームが存在することを理解しなければならない。一般的には、巻取りロッドは、通常は厚紙、プラスティック、アルミニウム、或いは他の適した材料製で、巻出し機の心押し台及び他の部材によって核のピックアップのために設けられたエンドスリーブを備えた管状の巻取り核として意図することができ、以下に説明する。
【００３５】
動作は、双方向矢印ｆ７に従ってアクチュエータ例えばピストン・シリンダアクチュエータ９によって付与され、アクチュエータのシリンダ９Ａは負荷支持構造体３に９Ｂで緊締され、アクチュエータのロッド９Ｃはそれぞれの回動アーム７に９Ｄで枢着されている。幾つかの実施形態では、アクチュエータが単体でまた必要に応じて２つの回動アーム７の一方から他方へ動作を伝達するトーションバーを使用することも可能であるが、２つの別個のピストン・シリンダアクチュエータ９をアーム７のそれぞれに１台を提供することができる。ピストン・シリンダアクチュエータ９に代わって、別の種類のアクチュエータ例えば電気モーター、液圧式モーターなどを使用することが可能である。
【００３６】
アーム７のそれぞれは、待機中のリールＢ２の両端を収納するために座面７Ｂを画定する端部７Ａを有する。各座面７Ｂは、歯車７Ｒを有し、以下に説明される目的のために、座面７Ｂに支持されるリールの巻回を可能にするように歯車７Ｒは待機リールの巻取りロッドＡＳの端部を支えている。
【００３７】
各アームの端部７Ａは、有利には、それぞれの回動アーム７に７Ｃで枢着されている。双方向矢印ｆ７Ａに従って、各アクチュエータ例えばピストン・シリンダアクチュエータ１１によってそれぞれの回動アーム７の各端部７Ａに旋回動作を付与することができ、ピストン・シリンダアクチュエータ１１のシリンダ１１Ａはそれぞれの回動アーム７に１１Ｂで枢着されると同時にロッド１１Ｃはそれぞれの回動アーム７の対応する端部７Ａに１１Ｄで枢着される。
【００３８】
端部７Ａを備えた回動アーム７及び関連するアクチュエータは、後述するように、第一の巻出し位置に待機位置からリールを移送するための移送装置を形成する。
【００３９】
図１に示された上昇位置では、端部７Ａを備えた回動アーム７及び両座面７Ｂは、リールＢ２の待機位置を画定している。図示された実施形態では、２本のアーム７はトーションバー７Ｔによって接続されている。トーションバー７Ｔは、２本のアーム７の同期した移動を保証している。さらに、図示された例では（図７参照）、トーションバーは２本のアーム７の間の中間位置に配置された第一の巻出し部材１３を支持するために使用されている。この実施形態では、第一の巻出し部材１３は、例えば相互に平行した２つ以上ベルトで形成され且つ第一の電動ローラー１７及び第二の遊動ローラー１９の周囲に案内される継ぎ目のない可撓性を有する要素１５を備えている。ローラー１７及び１９のそれぞれは、例えば巻出し部材１３を形成するベルト毎に１本のローラーで、実際には幾つかの同軸ローラーまたはプーリーで構成することができる。以下、簡潔に「ローラー」１７、１９について言及する。ローラー１７は、例えば電気モーター１８を用いて電動化することができる。ローラー１９は、双方向矢印ｆ１３に従って旋回するように軸Ｂ‐Ｂを中心に枢着された回動アーム２３に装着されている。図１から６には、単体で回動アーム２３が示されているが、好ましくは、２本のアーム２３が設けられ並んで配置されていることを理解しなければならない。以下で明らかになる目的のために、アーム７が矢印Ｆ７に従って旋回する際にアーム２３の旋回軸Ｂ‐Ｂが回動アーム７によって実行される軸Ａ‐Ａを周囲する巻回運動を追従するように、アーム２３の旋回軸Ｂ‐Ｂは、トーションバー７Ｔにねじれて制約され且つそこから両回動アーム７（図７参照）間の中間位置に伸びる拡張部７Ｘで支持されている。
【００４０】
旋回動作は、矢印Ｆ７に従ってアクチュエータ２５或いはアーム２３毎に１本で一対のアクチュエータ２５によって付与される。アクチュエータ或いは一対のアクチュエータ２５は、例えばピストン・シリンダアクチュエータであることができる。代わって、２本のアーム２３の一方から他方に動作を移送するトーションバーを備えた単体のアクチュエータ２５を設けてもよい。
【００４１】
図１のＰ１で示された待機位置のほぼ真下に、全体としてＰ２で示された第一の巻出し位置が画定され、そこに巻出しされている第一のリールＢ１が置かれる（図１）。また図７に示されているように、第一の巻出し位置Ｐ２は一対の遊動心押し台２７によって画定される。心押し台２７は、巻出し位置に置かれるリールＢ１の巻取りロッドＡＳの対向する端部と係合するために、矢印ｆ２７に沿って相互に離れたり向かったり移動する軸動作を備えており、前記リールを解放するために、全体をＰ３で示された第二の巻出し位置の方へその移送を可能にする。第二の巻出し位置Ｐ３は、第一の巻出し位置Ｐ２に対して、下流のステーション（図示されていない）に向かって巻出し機１からのウェブ材料Ｎ１の出口と反対側に位置している。言い換えれば、第一の巻出し位置Ｐ２は、巻出し機からのウェブ材料の出口と第二の巻出し位置Ｐ３との間に位置している。
【００４２】
リールＢ１が第一の巻出し位置Ｐ２に位置する際にリールＢ１を巻回状態で維持するために、全体を３１で示された第二の巻出し部材を設けている。図示された実施形態では、第二の巻出し部材３１は、周辺巻出し要素を形成するすなわちリールの横方向円筒面との摩擦接触によってリールＢに巻回動作を付与する、少なくとも一つの継ぎ目のない可撓性を有する要素３３を備えている。幾つかの実施形態では、継ぎ目のない可撓性を有する要素３３は継ぎ目のないベルトによって形成することができる。しかしながら、好ましくは、前記継ぎ目のない可撓性を有する要素３３は、案内ローラー或いは一連の案内プーリーで画定された同一パスを周囲して案内されるすべての平行する複数のベルトによって形成される。そのうちの少なくとも一本が電動化され、その他は好ましくは遊動である。図示された実施形態では、継ぎ目のない可撓性を有する要素３３はウェブ材料Ｎ１の出口領域から第二の巻出し位置Ｐ３まで伸びている。幾つかの実施形態では、前述の長さの全体にわたって延びる継ぎ目のない可撓性を有する要素３３に加えて、拡張の小さい補助的な継ぎ目のない可撓性を有する要素を設けることができ、例えば第一の巻出し位置Ｐ２の領域だけに延びて、継ぎ目のない可撓性を有する要素３３と同じ速度で移動する。これは、以下に明らかになるように（少なくとも第一の巻出し工程では）位置Ｐ２のリールは大きさ故にドラグトルクを必要とし、ドラグトルクは第二の巻出し位置Ｐ３に位置するほとんど空のリールを巻回状態で維持するのに十分なトルクよりも大きいためである。
【００４３】
図示した実施形態では、継ぎ目のない可撓性を有する要素３３を形成する継ぎ目のないベルトは、ローラー３５、３６、３７、３８、３９、４０、４１の周囲に案内されている。巻出し部材２３または継ぎ目のない可撓性を有する要素３３に関して、案内ローラー或いは戻りローラーのそれぞれは複数の同軸ローラーまたはプーリーで構成することができる。以下、簡潔に、案内ローラー或いは戻りローラーについて言及する。案内ローラーのうちの少なくとも１本は電動化され、例えば案内ローラー４０が電動化されてもよい。ローラー４０のモーターは、符号番号４２で概略的に示されている（特に図７参照）。図示された実施形態では、すべてのローラー３５乃至４１は、ローラー３５と３７を除き構造体３に対して固定軸で支持されている。
【００４４】
実際には、ローラー３７或いは各ローラー３７は、負荷支持構造体３の固定部分に軸Ｃ‐Ｃを中心に枢着された可動アーム４３または一対の可動アームによって支持される。アクチュエータ４５は例えばピストン・シリンダアクチュエータであり、継ぎ目のない可撓性を有する要素の張力をほぼ一定に保つために使用され、双方向矢印ｆ４３に従って、回動アーム４３に制御された旋回動作を付与する。
【００４５】
その逆に、案内ローラー３５は、固定された構造体に軸Ｄ‐Ｄを中心に枢着された回動アーム４７によって支持されている。図１〜図６の手順を参照して以下に説明されるように、双方向矢印ｆ４７に従ったアーム４７の旋回動作は、巻出周期の工程の関数として案内ローラー３５の位置を変更するようにアクチュエータ例えばピストン・シリンダアクチュエータ４９によって付与される。
【００４６】
案内５１は、第一の巻出し位置Ｐ２と第二の巻出し位置Ｐ３との間に構造体３によって担持される一対の案内５１が延びており、案内５１に従ってリールを移送するための移送部材が案内されている。図示例では、移送部材は巻出し機の２つの横方向に並んだ部材に沿って移動可能な対向する一対の台車５３を備えている（再度、図７参照）。双方向矢印ｆ５３に従って案内５１に沿った台車５３の動作は、例えば各台車５３に一方か或いは他方または案内５１の両方に沿って或いはまた別の適した方法で伸長するラックのそれぞれと噛み合うピ二オン（複雑さを回避するために図中いずれも図示せず）に巻回をかける電気モーター（図示せず）によって付与することができる。他の実施形態では、案内５１を追従するパスに沿って鎖で２台の台車５３に接続された単体の固定モーターを設けてもよい。
【００４７】
案内５１は、第二の巻出し位置を越えて広がり、下方曲線を形成しながら下降部５１Ａを形成し続け、取外し位置Ｐ４で終了する。取外し位置Ｐ４では、第二の巻出し位置Ｐ３から来る空リールのロッドを受けて取り出すための一対のコンベア５７を設けている。
【００４８】
台車５３の構造は図１Ａに詳細に示されている。その主たる要素に限定される２台の台車のうちの一方を拡大して図示している。
【００４９】
幾つかの実施形態では、以下により詳細に説明するように、第一の巻出し位置Ｐ２から第二の巻出し位置Ｐ３まで、そして第二の巻出し位置Ｐ３から取外し位置Ｐ４までリールを移送するために、各台車５３上でほとんど空のリールＢ１のロッドの両端をロックするために、台車５３のそれぞれはアクチュエータ６１例えばピストン・シリンダアクチュエータによって操作されるロック要素５９を有している。実際には、ロック要素５９はリールのロッドＡＳの両端に係合するように台車５３毎に１つで一対になっている。各ロック部材５９は、遊動輪５３Ｒを設けている。台車５３のそれぞれは２つの遊動輪５３Ｒを備えている。以下に説明される目的のために、遊動輪５３Ｒ及び５９Ｒは、巻取りロッドＡＳの端部が台車５３のそれぞれと係合する際に遊動輪５３Ｒ、５３Ｒ、５９Ｒの間に保持され且つその軸の周囲で巻回することができるように配置されている。
【００５０】
図示した実施形態では、第二の巻出し位置Ｐ３で、非表示の例えばピストン・シリンダアクチュエータのようなアクチュエータによって双方向矢印ｆ６７に従って動くように操作される回動アーム６７で支持される例えば横方向の刃６６を備える切断部材６５が関連付けされている。
【００５１】
第一の巻出し位置Ｐ２にあるリールＢ１から巻出されるウェブ材料Ｎ１のパスは、巻出し部材３１の継ぎ目のない可撓性を有する要素３３によって、同様に回動アーム７の旋回軸Ａ‐Ａよりも低く置かれた案内ローラー７１によっても画定される。そこで、ウェブ材料Ｎ１のパスはローラー７１から下方に巻出し機の出口を実質的に確定する３本で一組の案内ローラー７２、７３、７４まで伸長する。ウェブ材料が、巻出し機１の下流に非表示の例えばエンボス加工ユニット或いは巻直し機のような変換ステーションに向けて矢印ｆＮに従って巻出される間、これらのローラーのうちの１つ以上はエンコーダを用いてウェブ材料Ｎ１の張力の変動を検出するために他のローラーに対して直進するような仕方で装着することができる。他の実施形態では、ウェブ材料Ｎの案内ローラーの軸受に架かる反力を検出するロードセルを備えることができる。一般的には、巻出し張力を所望値に維持するために、ウェブ材料Ｎの張力の変動を検出するためのシステムが何であれ、検知システムで生成された信号を巻出し速度の制御のために使用することができる。
【００５２】
案内ローラー７１は接合装置８１の一部を形成し、前記した案内ローラー７１に加えて接合装置８１は一連の層結合歯車８３を備えている。一連の層結合歯車８３は、巻出されるリールＢ１から来るウェブ材料Ｎ１の末尾が待機リールＢ２に巻取られるウェブ材料Ｎ２の先端に接合されるようになる際に案内ローラー７１の表面と共動する。
【００５３】
図面で見ることができるように、第一の巻出し位置Ｐ２は、接合装置８１と第二の巻出し位置Ｐ３との間に位置し、第二の巻出し部材３１の継ぎ目のない可撓性を有する要素３３が接合装置８１から第二の巻出し位置Ｐ３まで延びている。
【００５４】
前述の巻出し機１の動作は、これまでに例示された構造から明らかである。図１から６は、空リールＢ１を新しい待機リールＢ２と交換する工程を含む動作手順を詳細に示している。
【００５５】
より具体的には、図１では、リールＢ１はその巻出周期の中間工程で、非表示の下流にあるステーションまで矢印ｆＮに従ってウェブ材料Ｎ１を運ぶために（図中反時計回りに）矢印ｆＢ１に従って巻回する。リールＢ２は待機位置Ｐ１にある。有利には、リールＢ２は自由先端部ＮＬ２を部分的に巻き解かれ、所定の位置に置かれている。
【００５６】
この工程では、リールＢ１は、第二の巻出し部材３１によって、さらにより具体的には、例えば案内ローラー４０と関連する駆動システムを用いて矢印ｆ３３に従って移動する継ぎ目のない可撓性を有する要素３３によって（矢印ｆＢ１）巻回を維持される。ウェブ材料Ｎ１の巻出しの結果としてリールＢ１の直径が減少するのに伴い継ぎ目のない可撓性を有する要素３３に張力を維持するために、可動軸を備えた案内ローラー３７を段階的に移動することができる。
【００５７】
図２では、第一の巻出し位置Ｐ２に置かれたリールＢ１はほとんど空で、待機位置Ｐ１に置かれた新しいリールＢ２と交換しなければならない。図２ではまた、回動アーム７の下降動作が開始する前に第二のリールＢ２に対して第一の巻出し部材１３が既に移動されたことを見ることができる。このように、第一の巻出し部材１３が静止している間はブレーキとして作用する。
【００５８】
第一の巻出し位置Ｐ２から第二の巻出し位置Ｐ３までリールＢ１を移送するためには、第一の巻出し位置Ｐ２でリールＢ１の巻取りロッドに接触するまで台車５３は案内５１に沿って移動される。リールＢ１から突出したリールＢ１の巻取りロッドＡＳの端部は、台車５３のそれぞれに設けられたロック部材５９によって台車５３と係合する。
【００５９】
さらに、案内ローラー３５が案内５１より高い位置に運ばれるまで、ピストン・シリンダアクチュエータ４９で一対のアーム４７を上へ旋回させることによって案内ローラー３５を持ち上げ台車５３を移動させる。これによって継ぎ目のない可撓性を有する要素３３のパスを変更し、パスの上位分岐を上に移動させる。実際には、案内ローラー３５の持ち上げ動作は、段階的であり且つ必要に応じてウェブ材料Ｎ１の巻出し中リールＢ１の直径の減少を相殺するために、案内ローラー３７の前記した段階的な動作との複合構成で使用することができる。
【００６０】
図３は、移送部材を形成する台車５３が第二の巻出し位置Ｐ３に第一の巻出し位置Ｐ２からリールＢ１を移送した後の工程を示している。この動作を行うためには、巻取りロッドが位置Ｐ２、Ｐ３、Ｐ４の間でリールの移送部材を形成する台車５３と係合した後、最初に心押し台２７がリールＢ１の前記巻取りロッドＡＳから解放（図７の矢印ｆ２７）される。２台の台車５３の遊動輪５３Ｒ、５９Ｒに起因して、リールＢ１はその軸の周囲でウェブ材料Ｎを巻出すために巻回を継続することができる。
【００６１】
図３の位置に案内ローラー３５を持ち上げることによって、第二の巻出し部材３１の継ぎ目のない可撓性を有する要素３３はリールＢ１と接触して留まり、前記リールＢ１が第二の巻出し位置Ｐ３に置かれる際にはリールＢ１の周囲に所定の角度で伸長する。
【００６２】
このような方法で、第一の巻出し位置Ｐ２にある間、或いは第一の巻出し位置Ｐ２から第二の巻出し位置Ｐ３までの移送中、或いはまた第二の巻出し位置Ｐ３に位置している時、第一のリールＢ１は一定の巻回を維持される。巻回速度及び結果的にはウェブ材料Ｎ１の巻出し速度は、移送を開始する前、或いは第二の巻出し位置Ｐ３への移送中、或いはまた第一のリールＢ１が第二の巻出し位置Ｐ３に位置している時、減速することができる。
【００６３】
一旦リールＢ１が第一の巻出し位置Ｐ２から離れたならば、待機位置Ｐ１（図１）から第一の巻出し位置Ｐ２に向かう第二のリールＢ２の下降動作を開始することができる。この動作は、図３で示されるように、アクチュエータ９によってアーム７を旋回することによって得られる。第一の巻出し部材１３の巻回或いはアーム２３の軸Ｂ‐Ｂ旋回は、回動アーム７の旋回動作に追従する。
【００６４】
第一のリールＢ１を第二のリールＢ２と交換する周期が開始されなければならない場合、第一の巻出し部材１３は巻回するように配置され、巻出し方向に第二のリールＢ２の巻回を開始するために段階的に加速される。第一の巻出し部材１３の継ぎ目のない可撓性を有する要素１５は、拡張７Ｘ及びトーションバー７Ｔによって回動アーム７にその軸Ｂ‐Ｂで制約されているリールＢ２の下降動作に追従する。そのため、第一の巻出し部材１３の継ぎ目のない可撓性を有する要素１５は、第二のリールＢ２が第一の巻出し位置Ｐ２に向けて下降する間、第二のリールＢ２と接触して留まる。第二のリールＢ２の巻回動作の加速は、リールＢ２の下降動作と同期する仕方で実行される。
【００６５】
この工程では、第一の巻出し部材１３によって引き起こされる第二のリールＢ２の矢印ｆＢ２に従って（図中反時計回りに）巻回を開始することに起因して、ウェブ材料Ｎ２の先端或いは端部ＮＬ２は、巻き解かれ始めると、第二の巻出し位置Ｐ３に位置し第二の巻出し部材３１で巻回を維持されるリールＢ１の巻回の結果として矢印ｆＮに従って継続して送られる第一のウェブ材料Ｎ１の上に載せられる。
【００６６】
図３で観察することができるように、この工程では、リールＢ２から巻出されるウェブ材料Ｎ２の先端部は、接合装置８１に向けてウェブ材料Ｎ２と一体の第一のウェブ材料Ｎ１によって支持されて前進する。
【００６７】
図４は次の工程を示している。そこでは、引き続き下降され且つ第一の巻出し部材１３によって巻回を保持されている第二のリールＢ２が、ウェブ材料Ｎ１と接触するようになり巻出し部材３１を押圧するのを開始する、より正確には継ぎ目のない可撓性を有する要素３３の上部分岐に接触して開始する。リールＢ２から巻出されるウェブ材料Ｎ２の先端は、接合装置８１によってウェブ材料Ｎ１の最後の部分に接合され、継ぎ目のない可撓性を有する要素３３の動作の結果として引き続き前進する。切断部材６５がリールＢ１から来るウェブ材料Ｎ１を切断しウェブ材料Ｎ１の末尾Ｃ１を生成し、よってリールＢ１が切り離されて取外し位置Ｐ４に向かって移動することができる。空のリールＢ１から継ぎ目のない可撓性を有する要素３３を引き離すためにローラー３５を下降させ、空のリールＢ１の巻回の影響を停止して、その上で巻出されるウェブ材料をもはや移送することはない。さらに、ローラー３５の下降は第二の巻出し位置Ｐ３から取外し位置Ｐ４に向けてリールＢ１を切り離して移動させるためにパスを自由にすることができる。
【００６８】
図５は次の工程を示している。そこでは、新しいリールＢ２が第一の巻出し位置Ｐ２に解放される間に台車５３は第一の空リールＢ１を取外し位置Ｐ４まで運ぶ。第二のリールＢ２は、以下の通り第一の巻出し位置Ｐ２に解放される。リールＢ２の巻取りロッドＡＳの軸は、回動アーム７の動作によって心押し台２７と位置合わせされる。一旦この位置に達すると、心押し台２７は互いに向かって移動し（矢印ｆ２７）巻取りロッドＡＳの空洞端部に係合する。このピックアップ動作を容易にするために、心押し台と巻取ロッドＡＳの対応する空洞は好ましくは円錐形状部を有する。一旦第二のリールＢ２が心押し台２７と係合したならば回動アーム７の端部７Ａはアクチュエータ１１によって巻回してロッドＡＳ及びリールＢ２を解放して、再度アーム７が待機位置Ｐ１に向けて持ち上がるのを可能にする。リールＢ２を心押し台２７まで移送する前に、リールＢ２は如何なる場合でも巻回でき、従ってアーム７によって形成された座面７Ｂに設けた歯車７Ｒに起因してウェブ材料Ｎ２を運ぶことができる。
【００６９】
第一の巻出し部材１３は、ウェブ材料Ｎ１に取って代わったウェブ材料Ｎ２の連続的な供給を維持するように、第二の巻出し部材３１の継ぎ目のない可撓性を有する要素３３の動作の結果として巻回を継続する第二のリールＢ２から係合が外れる。
【００７０】
最終的に第二の巻出し位置Ｐ２に達して心押し台２７によって係合された後に、リールＢ１、Ｂ２の交換工程を実行した減速された巻回速度から、通常の操作速度に変速するために、リールＢ２を加速することができる。通常の操作速度が特に低速の場合は、リール交換或いは取替え工程中も通常の操作速度で操作することが可能である。
【００７１】
何れにせよ、リールの交換を実行する速度が通常の操作速度より低速であっても、必要に応じて一時的にラインの速度を減速して連続して巻出し機１の下流にラインを供給することが可能である。
【００７２】
代わりに、アキュムレータ例えばフェストゥーン・アキュムレータを巻出し機１と下流のラインとの間に設けてもよい。何れにせよ、必要なアキュムレータはより小さい寸法であることができ、空リールを新しいリールと交換する間、巻出し機の完全な停止を要求する機械に対しても利点は得られる。通常の操作速度或いは通常の操作速度と交換工程中のリールＢ１、Ｂ２の巻出し速度との間の中間速度と等しい高速で、アキュムレータの下流にウェブ材料を送る速度を維持しつつリールＢ１とリールＢ２の交換を低速で実行するために、アキュムレータの存在を使用することができる。
【００７３】
図６は次の工程を示している。そこでは、空リールＢ１は取外し位置Ｐ４から外され、移送部材を形成する台車５３は案内５１のほぼ水平な部分に沿ってそれらの位置に戻っている。アーム７は、待機位置Ｐ１に保持されている新しいリールを示していないが天井走行クレーンから受け取る位置に戻され、巻回状態を維持され第二の巻出し部材３１で巻出されるリールＢ２は、第一の巻出し位置Ｐ２にある。
【００７４】
図８、図９及び図１０は、前記した図２、図３及び図４のそれらと同等の工程を示し、リールＢ１、Ｂ２が図１〜図６の手順に示されたものに対し反対方向の巻回で巻出されなければならない場合、巻出し部材１３及び３１を逆方向に巻回させている。巻出し機の構造は同じである。巻き戻し工程は、リールＢ２と継ぎ目のない可撓性を有する要素３３との間の接触が、ウェブ材料の末尾がリールＢ２と継ぎ目のない可撓性を有する要素３３との接触地点の下流を通過した後に起こるという事実を含む適切な構成を備えて実質的に同じである。
【００７５】
図８、図９及び図１０は、巻出し装置が先に説明されたものと実質的に同等の手順でこれらのリールを処理することができることを示している。従って、巻出し機１は、さらに、従来技術による巻出し機に対し、一方向或いはその他の方向に区別することなく巻出し部材１３及び３１の巻回動作を単純に反転することによってリールを巻き出すことができる利点を有する。
【００７６】
図面は、単に本発明の実施形態として提供され単なる一例を示すのであって、本発明の基礎をなす概念の範囲から逸脱することなくその形態及び構成において変更することができることが理解される。添付の特許請求の範囲における符号番号は、説明及び図面を参照して特許請求の範囲の読み取りを容易にするためのものであり、特許請求の範囲で表される保護の範囲を限定するものではない。
【符号の説明】
【００７７】
１    巻出し機
３    負荷支持構造体
５    垂直材
７；２３；４３；４７    回動アーム
７Ａ    端部
７Ｂ    座面
７Ｒ    歯車
７Ｔ    トーションバー
７Ｘ    拡張部
９；１１；２５；４５；６１    アクチュエータ
９Ａ；１１Ａ    シリンダ
９Ｃ；１１Ｃ    ロッド
１３；２３    巻出し部材
１５；３３    継ぎ目のない可撓性を有する要素
１７    電動ローラー
１８    モーター
１９    遊動ローラー
３１    第二の巻出し部材
３５；３６；３７；３８；３９；４０；４１；７１；７２；７３；７４  ローラー
４２    モーター
４９    ピストン・シリンダアクチュエータ
５１    案内
５１Ａ    下降部
５３    台車
５３Ｒ    遊動輪
５７    コンベア
５９    ロック部材
５９Ｒ    遊動輪
６５    切断部材
８１    接合装置
８３    層結合歯車    
Ａ‐Ａ    軸
Ｂ‐Ｂ    軸
Ｃ‐Ｃ    軸
ＡＳ      ロッド
ｆ      矢印の方向
Ｎ１    ウェブ材料
Ｎ２    ウェブ材料
ＮＬ２    自由先端部
Ｐ１    待機位置
Ｐ２    第一の巻出し位置
Ｐ３    第二の巻出し位置
Ｂ１    第一のリール
Ｂ２    第二のリール
【図１】
2014533643.tif 000003
【図１Ａ】
2014533643.tif 000004
【図２】
2014533643.tif 000005
【図３】
2014533643.tif 000006
【図４】
2014533643.tif 000007
【図５】
2014533643.tif 000008
【図６】
2014533643.tif 000009
【図７】
2014533643.tif 000010
【図８】
2014533643.tif 000011
【図９】
2014533643.tif 000012
【図１０】
2014533643.tif 000013
【国際調査報告】
2014533643.tif 000014
2014533643.tif 000015
2014533643.tif 000016